(57)【特許請求の範囲】
【請求項１】
取付部材に設けられ、金属材によって形成された螺子部材によって被取付部材に取り付けられる筒状の締結部と、
前記被取付部材の所定位置に設けられて、前記螺子部材の軸部が挿通される挿通孔と、を備え、
前記締結部は、前記螺子部材よりもばね定数の低い金属材によって形成され、内部軸方向に前記螺子部材の軸部が挿入される挿入孔が形成されていると共に、前記取付部材の端部から前記被取付部材方向に向かって突設され、
前記挿入孔は、内部軸方向の奥側に形成されて、前記軸部の外周面に形成された雄ねじ部が螺着する雌ねじ部と、
先端側の開口端から前記雌ねじ部の軸方向始端までの間に形成されて、前記雌ねじ部の軸方向始端から前記開口端方向に向かって内径が漸次大きくなるように拡径するテーパ部を有し、前記雌ねじ部に雄ねじ部を締結した際に前記開口端から内部へ挿入された前記軸部の外周面と非接触状態となる非雌ねじ部と、を有し、
前記締結部の挿入孔の開口端側に有する先端面は、前記非雌ねじ部を介して挿入された螺子部材の雄ねじ部を前記雌ねじ部に締結した際に、該螺子部材の頭部から前記被取付部材の挿通孔の開口縁を介して軸トルクを受けるトルク受け面として形成されていることを特徴とする取付部材の取付構造。
【請求項２】
車両に搭載された電子機器を作動制御する回路基板及び該回路基板が収容されたケースを備え、該ケースが、金属材によって形成された螺子部材によって車体の被取付部材に取り付けられてなる電子制御装置の取付構造において、
前記車体の被取付部材の所定位置に前記螺子部材の軸部が挿通される挿通孔が形成されている一方、
前記ケースの外端部に、前記車体の被取付部材に取り付けられる筒状の取付部が一体に設けられ、
該取付部は、前記螺子部材よりもばね定数の低い金属材によって形成され、内部に前記螺子部材が挿入される挿入孔が軸方向に沿って形成されていると共に、前記ケースの端部から前記被取付部材方向に向かって突設され、
前記挿入孔は、該挿入孔の内部軸方向の奥側に形成され、前記螺子部材の雄ねじ部が螺着する雌ねじ部と、
前記挿入孔の先端側の開口端と前記雌ねじ部の軸方向始端との間に軸方向に沿って形成され、前記雌ねじ部の軸方向始端から前記開口端方向に向かって内径が漸次大きくなるように拡径するテーパ部が形成され、前記雌ねじ部に雄ねじ部を締結した際に、前記螺子部材の軸部の外周面と非接触状態で径方向から対向する非雌ねじ部と、を有し、
前記取付部の挿入孔開口端側の先端面に、前記雌ねじ部に非雌ねじ部を介して前記螺子部材の雄ねじ部を締結した際に、前記螺子部材の頭部から前記車体の被取付部材を介して軸トルクを受けるトルク受け面を有することを特徴とする電子制御装置の取付構造。
【請求項３】
請求項２に記載の電子制御装置の取付構造において、
前記非雌ねじ部の軸方向長さは、前記螺子部材の雄ねじ部の一つのピッチ間の長さよりも長く形成されていることを特徴とする電子制御装置の取付構造。
【請求項４】
請求項３に記載の電子制御装置の取付構造において、
前記ケースは、前記回路基板の平面に対向する底壁と、該底壁の外周側から立ち上がった側壁と、前記底壁から周方向に延出した腕部と、を備え、
前記取付部は、前記ケースの底壁か側壁または腕部に一体に設けられていることを特徴とする電子制御装置の取付構造。
【請求項５】
請求項４に記載の電子制御装置の取付構造において、
前記非雌ねじ部の内周面全体が前記雌ねじ部側から開口端に沿って拡径状に形成されていることを特徴とする電子制御装置の取付構造。
【請求項６】
請求項４に記載の電子制御装置の取付構造において、
前記取付部の外周面は、前記雌ねじ部が形成された基部から挿入孔の開口端が形成された先端部まで漸次縮径状に形成されていることを特徴とする電子制御装置の取付構造。
【請求項７】
請求項２に記載の電子制御装置の取付構造において、
前記ケースと取付部が同一の導電性金属によって形成され、前記回路基板の負極配線が、前記ケースと取付部に電気的に導通されていることを特徴とする電子制御装置の取付構造。
【発明の詳細な説明】
【技術分野】
【０００１】
本発明は、取付部材の取付構造、および例えば自動車に取り付けられてエンジンやブレーキ等の制御に供する電子制御装置の取付構造に関する。
【背景技術】
【０００２】
従来の電子制御装置の取付構造としては、例えば以下の特許文献１に記載されたものが知られている。
【０００３】
この電子制御装置の取付構造は、車両搭載機器を制御するための制御回路を収納した電子制御装置を構成する樹脂ケースと、該樹脂ケースを車体に固定するためのブラケットと、から構成されている。前記樹脂ケースは、溝とブラケット押え、凹部などを有する一方、前記ブラケットは、ケース取付部と車体取付部とを有している。前記ケース取付部は、本体部と溝挿入部、凸部とを有し、前記溝挿入部が前記いずれかの溝に挿入されて、凸部と凹部とが係合することによってブラケットが樹脂ケースに取り付けられるようになっている。
【先行技術文献】
【特許文献】
【０００４】
【特許文献１】特開平１１−２９１８４１号公報
【発明の概要】
【発明が解決しようとする課題】
【０００５】
ところで、前記従来の取付構造にあっては、電子制御装置と車体の側の固定位置との間の距離、つまり固定位置と電子制御装置までの高さが取付位置よって異なっている場合には、その高さに前記ブラケットが合わずに、前記ブラケットの車体取付部が車体側の固定面から浮き上がって螺子によって適切に固定できないおそれがある。
【０００６】
そこで、このような場合には、高さの異なる複数のブラケットを用いるとか、前記ブラケットの車体取付部と車体側の固定面との間にスペーサを介装させて距離調整を行うことが考えられる。
【０００７】
しかしながら、前記高さの異なる複数のブラケットや厚さの異なる複数のスペーサを用いた場合には、部品点数が増加して製造コストの高騰が余儀なくされると共に、前記厚さの異なるスペーサを用いた場合では種類を誤って組み付けてしまうおそれがある。
【０００８】
本発明は、従来の技術的課題に鑑みて案出されたもので、スペーサなどを用いることなく高さ調整が可能となることから、部品点数の削減と製造、取り付け作業能率の向上が図り得る取付構造を提供することを目的としている。
【課題を解決するための手段】
【０００９】
本願請求項１に記載の発明は、取付部材に設けられ、金属材によって形成された螺子部材によって被取付部材に取り付けられる筒状の締結部と、
前記被取付部材の所定位置に設けられて、前記螺子部材の軸部が挿通される挿通孔と、を備え、
前記締結部は、前記螺子部材よりもばね定数の低い金属材によって形成され、内部軸方向に前記螺子部材の軸部が挿入される挿入孔が形成されていると共に、前記取付部材の端部から前記被取付部材方向に向かって突設され、
前記挿入孔は、内部軸方向の奥側に形成されて、前記軸部の外周面に形成された雄ねじ部が螺着する雌ねじ部と、
先端側の開口端から前記雌ねじ部の軸方向始端までの間に形成されて、前記雌ねじ部の軸方向始端から前記開口端方向に向かって内径が漸次大きくなるように拡径するテーパ部を有し、前記雌ねじ部に雄ねじ部を締結した際に前記開口端から内部へ挿入された前記軸部の外周面と非接触状態となる非雌ねじ部と、を有し、
前記締結部の挿入孔の開口端側に有する先端面は、前記非雌ねじ部を介して挿入された螺子部材の雄ねじ部を前記雌ねじ部に締結した際に、該螺子部材の頭部から前記被取付部材の挿通孔の開口縁を介して軸トルクを受けるトルク受け面として形成されていることを特徴としている。
【発明の効果】
【００１０】
本願発明によれば、部品点数の削減が図れると共に、製造作業と取り付け作業能率の向上が図れる。
【図面の簡単な説明】
【００１１】
【図１】本発明に係る取付構造の実施形態に供される電子制御装置の分解斜視図である。
【図２】本実施形態に供される電子制御装置を組み立てた状態を底面側からみた斜視図である。
【図３】本実施形態に供される電子制御装置を車体パネルに取り付ける状態を示す斜視図である。
【図４】本実施形態に係る取付構造の要部拡大断面図断面図である。
【図５】第２実施形態に係る取付構造の要部拡大断面図である。
【図６】第３実施形態に係る取付構造の要部拡大断面図である。
【発明を実施するための形態】
【００１２】
以下、本発明に係る取付部材の取付構造を、電子制御装置を車体パネルに取り付ける取付構造に適用した実施形態を図面に基づいて詳述する。
〔第１実施形態〕
本実施形態に供される電子制御装置０１は、図３に示すように、車両のエンジンルームなどに配置されて、取付部材として前記エンジンルーム内の被取付部材である車体パネル０２に取り付けられるようになっている。
【００１３】
具体的に説明すると、電子制御装置１は、図１〜図３に示すように、その表裏面に図外の電子部品が実装される回路基板１と、この回路基板１が収容固定されるケース２と、前記回路基板１を覆うように前記ケース２の上方から被嵌して該ケース２と共に筐体を構成するアルミ合金製のカバー３と、から主として構成されている。
【００１４】
前記回路基板１は、いわゆるプリント配線基板であり、例えばガラスエポキシ樹脂等からなる板材の表裏面、あるいはその内部に図外の配線回路パターンが形成され、この配線回路パターンに前記電子部品が半田等により電気的に接続されている。ここで、前記電子部品としては、例えばコンデンサやコイル、トランジスタやＩＣ、ＭＯＳ−ＦＥＴ等などである。
【００１５】
また、この回路基板１は、四隅に形成された４つの固定用孔１ａを挿通したビス６が後述するケース２の上部外周側に有する周壁２ｂの四隅に一体に形成されたボス部２ｃに形成されたビス孔２２ｄに螺着してケース２に固定されている。なお、前記回路基板１の対向する両側辺のほぼ中央と後側辺の左右両側に、ケース２との位置決めに用いられる小さな矩形状の４つの切欠凹部１ｂが形成されている。
【００１６】
さらに、前記回路基板１には、カバー３側の上面前端部に、図外の外部コネクタと接続されるコネクタ４が取り付けられている。このコネクタ４は、後端側の取付基部４ａと前端側の接続口４ｂとを一体に有し、前記取付基部４ａの下部が回路基板１に図外の複数の端子を介して半田付けにより固定されている。
【００１７】
また、この回路基板１の上面と下面の四隅には、負極配線である４つのグランド面１ｃが露出形成されている。
【００１８】
前記コネクタ４は、前記接続口４ｂが、カバー３の前端部の後述する膨出部１９に開口された矩形状の窓部１９ａを介して外部へと臨み、図外の外部コネクタと接続されるようになっている。
【００１９】
前記接続口４ｂには、図外の配線回路パターンに電気的に接続された複数の雄型端子４ｃが収容されており、これらの雄型端子４ｃが前記図外のコネクタに収容される複数の雌型端子と接続されることによって、該図外のコネクタ（雌型端子）に接続されるセンサー類やアクチュエータ等の所定の機器と電気的に接続される。
【００２０】
また、前記コネクタ４の後部側の長手方向両端部には、横断面ほぼＵ字形状のボス部４ｄ、４ｄが一体に設けられており、この各ボス部４ｄ、４ｄの内部軸方向には、前記回路基板１の前端側に形成された図外の雌ねじ部に螺着するねじが挿入されるねじ挿通孔４ｅ、４ｅが形成されている。また、前記取付基部４ａの前端側上面に塗布された図外の接着剤によって前記膨出部１９の内面に密閉状に固定されるようになっている。
【００２１】
前記ケース２は、例えばアルミニウム合金等の放熱性に優れた金属材料によって板状一体形成されたものであって、ほぼ矩形状の底壁２ａと、該底壁２ａの上面外周全体に一体に立ち上がったほぼ四角形状の側壁である周壁２ｂと、を有し、前記底壁２ａの四隅に、周壁２ｂよりも高い４つのボス部２ｃが一体に形成されている。
【００２２】
この各ボス部２ｃには、ケース２に回路基板１を上方から載置固定した際に、それぞれの上面が前記回路基板１の前記下側のグランド面１ｃが当接するようになっている共に、回路基板１固定用の前記ビス６が螺着する雌ねじ孔２ｄが形成されている。また、周壁２ｂの前記回路基板１の前記４つの切欠凹部１ｂに対応した位置に、該各切欠凹部１ｂに嵌入して該回路基板１を位置決めする４つの凸部２ｅが上方に向かって突設されている。
【００２３】
さらに、前記ケース２の底壁２ａの上面には、格子状の壁部２ｆがほぼ全体に渡って設けられていると共に、底壁２ａの内側面と周壁２ｂとの間には、回路基板１において電子部品（特に発熱性の高い電子部品）から発生した熱の放熱に供する放熱用台座８が突設されている。この放熱用台座８は、回路基板１の組み付け状態において、この回路基板１の裏面のうち、その反対側（表面）に前記各電子部品，が実装される所定領域と対向するように配置され、この所定領域が、それぞれ周知の放熱シートを介して該放熱用台座８上に当接配置されるようになっている。ここで、前記放熱シートは、例えば放熱グリス等でもよく、いわゆる熱伝導材であれば、シート状のものに限定されるものではない。
【００２４】
また、前記底壁２ａの前記放熱用台座８の下面には、図２に示すように放熱用台座８で吸収した熱を外部に放出する格子状の放熱フィン８ａが一体に形成されている。
【００２５】
また、前記ケース２の周壁２ｂ上面の前端壁２ｂ'を除く両側部と後端壁には、図１に示すように、ほぼコ字形状の補強リブ１０が一体に形成されている。
【００２６】
前記カバー３は、図１〜図３に示すように、アルミニウム合金材によって前記ケース２と同様のいわゆる箱状に一体成形されていると共に、ほぼ矩形状の天井壁３ａのコ字形の外周縁（各側辺）に前記ケース２の周壁２ｂ上面に当接する第１〜第３側壁３ｂ〜３ｄが設けられ、全体が下方へと開口するように構成されている共に、ケース２内に収容固定された回路基板１を覆うように被嵌されることによって該ケース２に組み付けられるようになっている。
【００２７】
また、カバー３の前記天井壁３ａの２つの側壁３ｂ、３ｄ間には、前述した膨出部１９が一体に形成されている。この膨出部１９は、台形状に形成されて、内部に前記コネクタ４の取付基部４ａの上部を被嵌しつつ前記接着剤によってコネクタ４が固定されていると共に、前端開口１９ａから前記コネクタ４の接続口４ｂが突出している。
【００２８】
また、前記カバー３は、各側壁３ｂ〜３ｄの内面にケース２の位置決め用の各凸部２ｅの先端が係入してケース２に対して位置決めされる図外の位置決め溝が形成されていると共に、四隅の下部に一体に形成された板状ボス部３ｅに前記各ビス６が挿通するビス挿通孔３ｆがそれぞれ貫通形成されて、前記各ビス６によって前記各雌ねじ孔２ｄを介して前記ケース２に固定されるようになっている。この固定された状態で、前記各板状ボス部３ｅ下面が回路基板１の上側の各グランド面１ｃに当接して電気的に接続されるようになっている。
【００２９】
そして、前記ケース２の前端壁２ｂ'の両側に有する前記２つのボス部２ｃ、２ｃの前端位置と、後端壁の両側に有する２つのボス部２ｃ、２ｃの間の中間位置には、図１〜図４に示すように、３つの舌片状の腕部である突起部１２ａ〜１２ｃが一体に形成されていると共に、この各突起部１２ａ〜１２ｃの各先端部には、前記車体パネル０２に螺子部材である３本の取付ねじ１３によって締結固定される３つの締結部(取付部)１４がそれぞれ一体に設けられている。前記各突起部１２ａ〜１２ｃと各締結部１４は、ケース２を鋳造する際に一緒に成形されており、該ケース２と同じアルミニウム合金材によって形成されている。
【００３０】
前記各突起部１２ａ〜１２ｃは、図２にも示すように、前記底壁２ａの下面から前方及び後方へ突設されており、このうち前端側の２つの突起部１２ａ、１２ｂは、薄肉なほぼ矩形板状に形成されている一方、後端側の１つの突起部１２ｃは、薄肉なほぼ三角形状に形成され、それぞれが前後方向へ突出している。
【００３１】
前記各取付ねじ１３は、鉄系金属からなるなべ小ねじが用いられ、外周に雄ねじ部１３ｄが切られた軸部１３ａと、該軸部１３ａの軸方向一端部に有する頭部１３ｂと、からなり、この各頭部１３ｂには、ドライバーの先端が係止する十字溝１３ｃが形成されている。
【００３２】
前記雄ねじ部１３ｄは、軸部１３ａのほぼ全域に形成されているが、前記頭部１３ｂの付け根部付近の一部には形成されていない。
【００３３】
前記各締結部１４は、図１〜図４に示すように、それぞれがほぼ円筒状に形成されて、前記各突起部１２ａ〜１２ｃの先端部に一体に設けられている。また、平坦な上面１４ａがケース２の各ボス部２ｃの平坦な上面よりも低い位置に形成されて、ケース２の各ボス部２ｃに対するカバー３の各板状ボス部３ｅの載置、つまり、ケース２に対するカバー３の被嵌配置に支障が生じない位置に形成されている。
【００３４】
また、この締結部１４は、図４に示すように、内部軸方向に前記取付ねじ１３の軸部１３ａが挿入される挿入孔１４ｂが貫通形成されている。また、各締結部１４のそれぞれの外周面１４ｃは、前記各突起部１２ａ〜１２ｃに一体に固定された基部１４ｄ側から先端部(開口端)１４ｅに向かって漸次縮径したテーパ状に形成されている。
【００３５】
前記挿入孔１４ｂは、軸方向の奥部側(基部側)の内周面に雌ねじ部１４ｆが形成されており、この雌ねじ部１４ｆは、その軸方向の形成長さＬが前記挿入孔１４ｂの軸方向全体の約半分程度の領域になっている。
【００３６】
また、この挿入孔１４ｂは、内部軸方向に前記雌ねじ部１４ｆの軸方向始端から先端部１４ｅまでの間に円柱状の非雌ねじ部１４ｇが形成されている。そして、この各非雌ねじ部１４ｇの軸方向の形成長さＬ１は、前記雌ねじ部１４ｆと相対的に挿入孔１４ｂの軸方向全体の約半分程度の領域になっている。
【００３７】
前記各非雌ねじ部１４ｇは、内周面が前記雌ねじ部１４ｆの始端から挿入孔１４ｂの開口端１４ｈ(非雌ねじ部１４ｇの開口端１４ｈ)方向へ漸次拡径するテーパ状に形成されていると共に、前記開口端１４ｈの内周面もさらに大きく拡径するテーパ状に形成されている。
【００３８】
また、前記締結部１４は、前記挿通孔１４ｂの開口端１４ｈが臨む先端面１４ｉが平坦状に形成されていると共に、取付ねじ１３を雌ねじ部１４ｆに締結した際に、車体パネル０２を介して軸トルクを受けるトルク受け面になっている。
【００３９】
前記非雌ねじ部１４ｇは、この実施形態では内周面の内径が前記取付ねじ１３の軸部１３ａの外径よりも大きく形成されて、軸部１３ａの自由な挿入が確保されているが、内径を軸部１３ａの外径より僅かに大きくして内周面に、軸部１３ａの雄ねじ部１３ｄの外周が僅かに接触する大きさに形成することも可能である。
【００４０】
前記車体パネル０２は、図３及び図４に示すように、所定位置の電子制御装置０１の各締結部１４の配設位置と対応する位置に、前記各取付ねじ１３の軸部１３ａが挿入する３つの固定用孔１５が形成されている。この各固定用孔１５は、図３に示すように、いわゆる瓢箪状に形成されて、取付ねじ１３の頭部１３ｂが挿入可能な大径孔１５ａと、該大径孔１５ａの内周縁から径方向に延びて軸部１３ａが径方向から挿入可能な長孔１５ｂと、を有している。
〔本実施形態の作用効果〕
以下、本実施形態における電子制御装置０１の組み立て手順及び該電子制御装置０１を車体パネル０２に取り付け手順について説明する。
【００４１】
まず、ケース２の前記放熱用台座８上に前記放熱グリスを塗着して、回路基板１の端子孔から突出したコネクタ４の各端子を半田付けすると共に、コネクタ４の２つのねじ挿通孔４ｅからビスを挿入して該コネクタ４を回路基板１に取り付け固定しておく。
【００４２】
その後、この回路基板１の下面四隅部にグランド面１ｃを、ケース２の四隅ある各ボス部２ｃの上面上に載置する際、各凹部１ｂに位置決め用の各凸部２ｅを嵌挿して全体の位置決めを行いつつケース２上に載置し、続いて、各ビス挿通孔４ｅに挿通された図外の各ビスによってケース２にビス止め固定する。
【００４３】
その後、回路基板１とケース２にカバー３を上方から被嵌して組み付ける。このとき、カバー３の膨出部１９を回路基板１のコネクタ４の上方から嵌合させつつカバー３の前記各位置決め溝にケース２の各凸部２ｅの先端を嵌入させて位置決めしながらカバー３を下方へ移動させて各板状ボス部３ｅを前記回路基板１の各グランド面１ｃに重ね合わせると同時に各板状ボス部３ｅの下面をケース２の各ボス部２ｃの上面に重ね合わせる。
【００４４】
続いて、前記カバー３の各板状ボス部３ｅのビス挿通孔３ｆと回路基板１の各固定用孔１ａに各ビス６を挿入して、ケース２の各雌ねじ孔２ｄにねじ込めば、ケース２に対して回路基板１とカバー３が一体的に結合される。なお、このとき、前記カバー３の各板状ボス部３ｅの下面が前記回路基板１のグランド面１ｃに密着して導通する。これによって、電子制御装置０１のケース１に対する各構成部品の組立が完了する。
【００４５】
その後、図２及び図３に示すように、各取付ねじ１３の軸部１３ａを、前記各締結部１４の各挿入孔１４ｂの開口端１４ｈから内部へ挿入すると共に、各雄ねじ部１３ｄを各雌ねじ部１４ｆに所定量だけねじ込んで仮止め状態にする。
【００４６】
次に、図３に示すように、電子制御装置０１を持って各取付ねじ１３を車体パネル０２の対応する各固定用孔１５の大径孔１５ａ内に各頭部１３ｂから挿入してそのまま電子制御装置０１を移動させながら各軸部１３ａを長孔１５ｂ内に嵌挿させて位置決めを行う。
【００４７】
その後、前記車体パネル０２の裏側からドライバーの先端を前記各取付ねじ１３の十字溝１３ｃに係止しつつ回転操作して、各取付ねじ１３を、各雌ねじ部１４ｆを介して締め付ける。これによって、車体パネル０２に電子制御装置０１を強固に取り付けることができる。この状態では、前記取付ねじ１３の軸力により頭部１３ｂを介して前記締結部１４の平坦な先端面１４ｉが車体パネル０２の固定用孔１５の長孔１５ｂの孔縁およびその周囲面と密着状態になる。したがって、電子制御装置０１が車体パネル０２に対して位置決めされつつ強固に取り付けられる。
【００４８】
このように、本実施形態によれば、電子制御装置０１を車体パネル０２に取り付ける際に、ケース２に一体に設けられた円筒状の各締結部１４を利用して取り付けるようにしたことから、従来技術のような、ブラケットやスペーサを用いる必要がなくなる。この結果、部品点数の削減が図れ、製造作業と取り付け作業が容易になり、コストの低減化が図れる。
【００４９】
特に、車体パネル０２の凹凸に対応して各締結部１４の軸方向長さを自由に変更することによって凹凸を吸収することが可能になることから、従来技術のような長さや高さの異なる複数のブラケットやスペーサを用いる場合に発生し易い誤組み付けなども抑制することができる。
【００５０】
また、前記締結部１４は一体化していることから、従来のようなスペーサを用いた場合に、該スペーサの前後端面の隙間から水が侵入して腐食してしまうなどの不具合が発生せず、耐久性の低下を抑制できる。
【００５１】
しかも、前記鉄系金属の取付ねじ１３は、アルミニウム合金製の各締結部１４よりもばね定数が高いことから、取付ねじ１３をねじ込んで締結力が高くなると、前記軸部１３ａの外周と非雌ねじ部１４ｇの内周面との間の隙間を介して僅かながらも取付ねじ１３の軸部１３ａが軸方向へ僅かながらも伸長する。これにより取付ねじ１３に弾性反力が発生して車体パネル０２との強固な結合力が得られる。
【００５２】
ここで、前記取付ねじ１３のばね定数とは、鉄系金属の粘り強さであるいわば靱性であって、前記ドライバーによる締め込みによって前記頭部１３ｂと前記雄ねじ部１３ｄと雌ねじ部１４ｆとの螺着位置との間に有する軸部１３ａ、つまり非雌ねじ部１４ｇに位置する軸部１３ａの一部が軸方向に引っ張られるが、この引っ張り力に対する粘り力をいう。
【００５３】
この靱性は、締結部１４であるアルミニウム合金材に比べて、鉄系金属の取付ねじ１３の方が高いことから引っ張り荷重が掛かると取付ねじ１３が僅かながらも伸び方向へ弾性変形し易く、これを利用して締結力を高めたものである。要するに、前記取付ねじ１３は、軸部１３ａの一部が前記非雌ねじ部１４ｇの内周面と非接触状態になることから、締結時において前記軸部１３ａの一部に僅かながら伸び変形が発生する。この結果、この伸び変形によって取付ねじ１３にばね力が発生することから、さらに締結力を向上させることができる。
【００５４】
また、前記締結部１４は、外周面１４ｃが先端方向に向かって縮径テーパ状に形成され、また非雌ねじ部１４ｇの内周面と開口端１４ｈがそれぞれ拡径テーパ状に形成されていることから先端面１４ｉと車体パネル０２の長孔１５ｂの孔縁及びこの周囲面との間の接触面積が小さくなることから、取付ねじ１３の締結力を集中化させて前記締結力を向上させることができる。
【００５５】
前記非雌ねじ部１４ｇと開口端１４ｈを拡径状に形成したことによって、前記取付ねじ１３の軸部１３ａ先端の挿入孔１４ｂ内への挿入作業が容易になり、取り付け作業がこの点でも容易になる。
【００５６】
また、締結部１４の外周面１４ｃが先細り状のテーパ形状によって、前記基部１４ｄ側の外径が結果的に大きくなるので、締結部１４の強度が高くなって、取付ねじ１３の締め付けトルクを高くすることができる。
【００５７】
さらに、前記回路基板１の四隅の各グランド面１ｃがケース２とカバー３に導通していることから、該回路基板１のグランド電流を、ケース２を介して車体パネル０２に流すことができるため、通電抵抗が小さくなって回路基板１のグランド電位を安定化させることが可能になる。また、従来のスペーサを用いた場合のように、スペーサの前後に隙間が形成されて接触性が低下することによって通電抵抗が大きくなることを抑制できる。
【００５８】
また、前記非雌ねじ部１４ｇの軸方向の長さＬ１が、前記雄ねじ部１３ｄの一つのピッチ間の長さよりも長く形成されていることから、取付ねじ１３を締め付けた際の各雄ねじ部１３ｄのねじ山と前記雌ねじ部１４ｆのねじ山との間での軸方向の変形が可能となって、前記取付ねじ１３の弾性力が向上してばね作用による締結力を一層高くすることができる。
【００５９】
なお、本実施形態では、前記取付ねじ１３の軸部１３ａの一部が前記非雌ねじ部１４ｇの内周面と非接触状態になっているが、取付ねじ１３のねじ山の頂部と非雌ねじ部１４ｇが接触している状態、つまり、取付ねじ１３を挿入孔１４ｂに挿入した際に、ねじ山の頂部で非ねじ部１４ｇが削られない程度の低摩擦接触状態であっても良い。この場合も軸部１３ａの一部に伸び変形が起きるといった前述と同じの作用効果が得られる。
【００６０】
また、本実施形態では、ケース２の成形時に突起部１２ａ〜１２ｃや各締結部１４を一緒に成形することができるので、その成形作業も容易になる。
【００６１】
本実施形態では、ケース２とカバー３との間に、接着剤を塗布させていないが、防水性などを確保するために両者２，３間にシール材としての接着剤を塗布することも可能である。
〔第２実施形態〕
図５は本発明の第２実施形態を示し、前記締結部１４の雌ねじ部１４ｆの軸方向長さＬと前記非雌ねじ部１４ｇの軸方向長さＬ１を変更したもので、前記雌ねじ部１４ｆの軸方向長さＬを長く形成する一方、相対的に非雌ねじ部１４ｇの軸方向長さＬ１を短く形成した。
【００６２】
これによって、取付ねじ１３の雄ねじ部１３ｄと締結部１４の雌ねじ部１４ｆとの螺合範囲が長くなることから、取付ねじ１３による軸トルクをさらに大きくすることが可能になる。
〔第３実施形態〕
図６は第３実施形態を示し、この実施形態では、前記雌ねじ部１４ｆの軸方向長さＬを短く形成する一方、相対的に非雌ねじ部１４ｇの軸方向長さＬ１を長く形成したものである。
【００６３】
したがって、この実施形態では、取付ねじ１３の雄ねじ部１３ｄと締結部１４の雌ねじ部１４ｆとの螺合範囲が短くなることから、軸トルクが第２実施形態の場合に比較して低くなるが、取付ねじ１３の軸部１３ａと非雌ねじ部１４ｇとの間の長さが長くなることから、軸部１３ａの伸び方向の変形量を大きくすることができ、これによって締結力を十分に確保することができる。
【００６４】
そして、前記雌ねじ部１４ｆの形成領域と非雌ねじ部１４ｇの形成領域を任意に変更することによって、軸トルクを異ならせることができるので、軸トルクの強弱に応じて被取付部材と取付部材を自由な選択が可能になる。これは、前記各締結部１４の軸方向の長さをそれぞれ異ならせることと相俟って取付の自由度が向上する。
【００６５】
本発明は、前記各実施形態の構成に限定されるものではなく、例えば、前記締結部１４の雌ねじ部１４ｆと非ねじ部１４ｇの相対的な長さを自由に変更することが可能である。
【００６６】
また、被取付部材と取付部材は、前記各実施形態のように、車体パネルや電子制御装置に限定されるものではなく、他の機器類や装置に適用することもできる。
【００６７】
さらに、前記締結部１４は、前記突起部１２ａ〜１２ｃ以外に、ケース２の底壁２ａや周壁２ｂの外周に直接設けることも可能であり、また、取付ねじ１３をさらに別の構造のものに変更することも可能である。
【符号の説明】
【００６８】
０１…電子制御装置(取付部材)
０２…車体パネル(被取付部材)
１…回路基板
２…ケース
２ａ…底壁
２ｂ…周壁(側壁)
３…カバー
４…コネクタ
１３…取付ねじ(螺子部材)
１３ａ…軸部
１３ｂ…頭部
１４…締結部
１４ａ…上面
１４ｂ…挿通孔
１４ｃ…外周面
１４ｄ…基部
１４ｅ…先端部
１４ｆ…雌ねじ部
１４ｇ…非雌ねじ部
１４ｈ…開口端
１４ｉ…先端面(トルク受け面)
１５…固定用孔(挿通孔)
【図１】
0006636363.tif 000002
【図２】
0006636363.tif 000003
【図３】
0006636363.tif 000004
【図４】
0006636363.tif 000005
【図５】
0006636363.tif 000006
【図６】
0006636363.tif 000007